(57)【要約】【課題】足をマッサージするマッサージ機能を有する本体部をベース部にリクライニング可能に搭載したマッサージ機において、本体部を無段階にリクライニング可能とする。【解決手段】足のマッサージ機能を具えた本体部１と、該本体１を搭載したベース部２の両方に、本体部１のリクライニング軌跡を一定にするためのレール部３、3aを設け、本体部１とベース部２の両方に相手レール部３、3aに突っ張って無理に嵌まるスライド部材４、4aを設け、スライド部材４、4aの突っ張り力によって、無段階で本体部１のリクライニング姿勢を設定可能にできる。【選択図】図４
2010099449.tif 000002
【特許請求の範囲】
【請求項１】
足をマッサージするマッサージ機能を有する本体部(１)を、ベース部(２)上にリクライニング可能に具えたマッサージ機において、本体部(１)とベース部(２)の両方、又は一方に、リクライニング軌跡を一定にするためのレール部(３)(3a)を設け、他方又は両方に、該レール部(３)(3a)に該レール部内面に突っ張って嵌まるスライド部材(４)(4a)を設け、レール部(３)(3a)とスライド部材(４)(4a)の突っ張り力によって、無段階で本体部(１)のリクライニング姿勢を設定可能な、マッサージ機。
【請求項２】
本体部(１)は被施療者の足先を挿入する凹状受部(11)と、被施療者のふくらはぎを挿入する脚受部(12)を有し、凹状受部(11)及び脚受部(12)の側面及び／又は底面にマッサージ手段を有する、請求項１に記載のマッサージ機。
【請求項３】
ベース部(２)の左右両側の夫々にレール部(３)(３)とスライド部材(４)(４)が設けられ、本体部(１)の左右両側の夫々に、前記ベース部(２)のレール部(３)(３)とスライド部材(４)(４)に係合するスライド部材(4a)(4a)とレール部(3a)(3a)が設けられている、請求項１又２に記載のマッサージ機。
【請求項４】
スライド部材(４)(4a)は軸体(41)の両端に摺接部(42)(42)を具え、該摺接部(42)は押圧片(43)を有し、該押圧片(43)は摺接部(42)が無理にレール部(３)(3a)に嵌め込まれたことによる、弾性復帰によってレール部(３)(3a)の内面を押圧している、請求項１乃至３の何れかに記載のマッサージ機。
【請求項５】
摺接部(42)の輪郭は略矩形を呈し、長手方向に沿う両辺の内、少なくとも一方の辺の内側は、該辺に沿って表裏に貫通する長孔(44)が開設され、該辺は中央部が外側へ少し膨らんで押圧片(43)を形成している。請求項４に記載のマッサージ機。
【請求項６】
前記長孔(44)内には、前記押圧片(43)を外側へ付勢するバネ(50)を内装してなる請求項５に記載のマッサージ機。
【請求項７】
前記バネ(50)は板バネからなり、板バネの両端部(51)を前記長孔(44)の両端部に係止させてなる請求項６に記載のマッサージ機。
【請求項８】
摺接部(42)の輪郭は略円形であり、外周に直径線と略平行に、且つ点対称に表裏に貫通する切欠(46)(46)を施して、該切欠(46)から外側部分を押圧片(43)となしている、請求項４に記載のマッサージ機。
【請求項９】
スライド部材(４)(4a)は軸体(41)の両端に摺接部(42)(42)を有し、少なくとも一方の摺接部(42)の外端面に摺接部(42)とは別体の押圧片(43)を具え、該押圧片(43)をバネ(47)で外向きに付勢してレール部(３)(3a)の内面に突っ張っている、請求項１乃至３の何れかに記載のマッサージ機。
【請求項１０】
レール部(３)(3a)の内面に、本体部(１)のリクライニング範囲に対応する長さ範囲に、摩擦係数が大で弾性を有する抵抗部材(48)が装着され、該抵抗部材(48)がスライド部材(４)(4a)に対して突っ張り力を付与している、請求項１乃至３の何れかに記載のマッサージ機。
【請求項１１】
スライド部材(４)(4a)のレール部(３)(3a)との摺接面に、摩擦係数が大で弾性を有する抵抗部材(48)が装着され、該抵抗部材(48)の弾性変形でスライド部材(４)(4a)を突っ張り状態に保持する、請求項１乃至３の何れかに記載のマッサージ機。
【請求項１２】
足をマッサージするマッサージ機能を有する本体部(１)を、ベース部(２)にリクライニング可能に搭載したマッサージ機において、本体部(１)とベース部(２)の両方、又は一方に、リクライニング軌跡を規制するレール部(３)(3a)を設け、他方又は両方に、該レール部(３)(3a)に嵌まって相対的に無理にスライド可能に係合するスライド部材(４)(4a)を設け、レール部(３)(3a)の内面には、スライド部材(４)(4a)のスライドに強い抵抗となる凸部(49)が等間隔に多数個設けられ、隣り合う凸部(49)の間隔は、スライド部材(４)(4a)をスライド方向に余裕なく位置決めできる程度に開いており、スライド部材(４)(4a)が凸部(49)間に位置する多段階で本体部(１)のリクライニング姿勢を設定可能な、マッサージ機。
【発明の詳細な説明】
【技術分野】
【０００１】
本発明は、足用のマッサージ機に関するものである。
【背景技術】
【０００２】
被施療者の足先及びふくらはぎをマッサージする足用マッサージ機が知られている。
【０００３】
例えば、特許文献１の足用マッサージ機は、図１７に示す如く、ベース部(２)と該ベース部(２)に前方へスライドしながらリクライニング可能に本体部(１)を取り付け、本体部(１)に被施療者の足先を挿入する凹状受部(11)と、被施療者のふくらはぎを挿入する脚受部(12)を具えている。
【０００４】
上記足用マッサージ機は、実線で示す様に、本体部(１)を起立させた状態では被験者は椅子に座ってマッサージを受けることができ、二点鎖線で示す様に、本体部(１)をリクライニングさせると、被施療者が寝転んだ状態でも、マッサージを受けることができる。
【０００５】
又、本体部(１)をリクライニングしても、凹状受部(11)と脚受部(12)との成す角度が一定のままであるから、ふくらはぎに対して足先が伸びてしまうことがない。本体部(１)を倒しても、ふくらはぎや足先の筋、筋肉が突っ張ることはなく、筋、筋肉が弛緩し、リラックスした状態を維持できる。
【０００６】
従って、血管が圧迫されたり、血流が阻害されることはなく、マッサージ効果を高い状態で受けることができる。
【先行技術文献】
【特許文献】
【０００７】
【特許文献１】特開２００７−２６８００２公報
【発明の概要】
【発明が解決しようとする課題】
【０００８】
特許文献１の足用マッサージ機は、本体部(１)を所望のリクライニング角度に保持することはできず、被施療者の好むリクライニング角度を維持したまま、マッサージを受けることはできない。この様に、足の位置が決まらぬ不安定な状態でマッサージを受けると、マッサージ効果が多少損なわれる。
【０００９】
本発明は、本体部を無段階、或いは多段階にリクライニング角度を調整して保持することにより、特許文献１の問題点を解決できる、足用のマッサージ機を明らかにするものである。
【課題を解決するための手段】
【００１０】
請求項１のマッサージ機は、足をマッサージするマッサージ機能を有する本体部(１)を、ベース部(２)上にリクライニング可能に具えたマッサージ機において、本体部(１)とベース部(２)の両方、又は一方に、リクライニング軌跡を一定にするためのレール部(３)(3a)を設け、他方又は両方に、該レール部(３)(3a)に該レール部内面に突っ張って嵌まるスライド部材(４)(4a)を設け、レール部(３)(3a)とスライド部材(４)(4a)の突っ張り力によって、無段階で本体部(１)のリクライニング姿勢を設定可能である。
【００１１】
請求項２は、請求項１のマッサージ機において、本体部(１)は被施療者の足先を挿入する凹状受部(11)と、被施療者のふくらはぎを挿入する脚受部(12)を有し、凹状受部(11)及び脚受部(12)の側面及び／又は底面にマッサージ手段を有する。
【００１２】
請求項３は、請求項１又は２に記載のベース部(２)の左右両側の夫々にレール部(３)(３)とスライド部材(４)(４)が設けられ、本体部(１)の左右両側の夫々に、前記ベース部(２)のレール部(３)(３)とスライド部材(４)(４)に係合するスライド部材(4a)(4a)とレール部(3a)(3a)が設けられている。
【００１３】
請求項４は、請求項１乃至３のマッサージ機において、スライド部材(４)(4a)は軸体(41)の両端に摺接部(42)(42)を有し、該摺接部(42)は押圧片(43)を有し、該押圧片(43)は摺接部(42)が無理にレール部(３)(3a)に嵌め込まれたことによる、弾性復帰によってレール部(３)(3a)の内面を押圧している。
【００１４】
請求項５は、請求項４のマッサージ機において、摺接部(42)の輪郭は略矩形を呈し、長手方向に沿う両辺の内、少なくとも一方の辺の内側は、該辺に沿って表裏に貫通する長孔(44)が開設され、該辺は中央部が外側へ少し膨らんで押圧片(43)を形成している。
【００１５】
請求項６は、請求項５のマッサージ機において、前記長孔(44)内には、前記押圧片(43)を外側へ付勢するバネ(50)を内装したものである。
【００１６】
請求項７は、請求項６のマッサージ機において、前記バネ(50)は板バネからなり、板バネの両端部(51)を前記長孔(44)の両端部に係止させたものである。
【００１７】
請求項８は、請求項４のマッサージ機において、摺接部(42)の輪郭は略円形であり、外周に直径線と略平行に、且つ点対称に表裏に貫通する切欠(46)(46)を施して、該切欠(46)から外側部分を押圧片(43)となしている。
【００１８】
請求項９は、請求項１乃至３の何れかのマッサージ機において、スライド部材(４)(4a)は軸体(41)の両端に摺接部(42)(42)を有し、少なくとも一方の摺接部(42)の外端面に摺接部(42)とは別体の押圧片(43)を具え、該押圧片(43)をバネ(47)で外向きに付勢してレール部(３)(3a)の内面に突っ張っている。
【００１９】
請求項１０は、請求項１乃至３のマッサージ機において、レール部(３)(3a)の内面に、本体部(１)のリクライニング範囲に対応する長さ範囲に、摩擦係数が大で弾性を有する抵抗部材(48)が装着され、該抵抗部材(48)がスライド部材(４)(4a)に対して突っ張り力を付与している。
【００２０】
請求項１１は、請求項１乃至３の何れかのマッサージ機において、スライド部材(４)(4a)のレール部(３)(3a)との摺接面に、摩擦係数が大で弾性を有する抵抗部材(48)が装着され、該抵抗部材(48)の弾性変形でスライド部材(４)(4a)を突っ張り状態に保持する。
【００２１】
請求項１２のマッサージ機は、足をマッサージするマッサージ機能を有する本体部(１)を、ベース部(２)にリクライニング可能に搭載したマッサージ機において、本体部(１)とベース部(２)の両方、又は一方に、リクライニング軌跡を規制するレール部(３)(3a)を設け、他方又は両方に、該レール部(３)(3a)に嵌まって相対的に無理にスライド可能に係合するスライド部材(４)(4a)を設け、レール部(３)(3a)の内面には、スライド部材(４)(4a)のスライドに強い抵抗となる凸部(49)が等間隔に列状に多数個設けられ、隣り合う凸部(49)の間隔は、スライド部材(４)(4a)をスライド方向に余裕なく位置決めできる程度に開いており、スライド部材(４)(4a)が凸部(49)間に位置する多段階で本体部(１)のリクライニング姿勢を設定可能である。
【発明の効果】
【００２２】
請求項１のマッサージ機は、マッサージ機能を有する本体部(１)のリクライニング軌跡を一定にするためのレール部(３)(3a)に、スライド部材(４)(4a)を相対的にスライドさせて本体部(１)をリクライニングさせるものであるが、スライド部材(４)(4a)は常時レール部(３)(3a)内面に突っ張り状態であるから、ベース部(２)に対して本体部(１)を強引に傾けない限り、本体部(１)のリクライニング角度は維持される。足を本体部(１)に載せた程度では本体部(１)のリクライニング姿勢は変わらない。
【００２３】
従って、本体部(１)を所望の傾き姿勢に設定すると、その姿勢を維持したまま、足のマッサージを受けることができる。即ち、本体部(１)を任意の角度にリクライニングさせても、足の位置を安定させることができるから、マッサージ効果を損なうことはない。
【００２４】
本体部(１)の傾き姿勢を変えるには、スライド部材(４)(4a)の突っ張り力に打ち勝つ力で、スライド部材(４)(4a)をレール部(３)(3a)内でスライドさせればよい。
【００２５】
請求項２のマッサージ機は、本体部(１)の凹状受部(11)に足先を、脚受部(12)にふくらはぎを挿入できるから、足の姿勢を一層安定させてマッサージを受けることができる。
【００２６】
又、つま先に強い踏み込み力を加えると、本体部(１)を起立方向に姿勢を変えることが出来、ふくらはぎで脚受部(12)を下方に強い力で押し込むと、本体部(１)を倒れ方向に姿勢を変えることができ、マッサージを中断することなく、本体部(１)を所望のリクライニング姿勢に変えることができる。
【００２７】
請求項３のマッサージ機は、本体部(１)の左右両側にて、夫々２箇所でレール部(３)(3a)とスライド部材(４)(4a)が係合しているから、本体部(１)のリクライニング動作を安定して行うことができる。
【００２８】
請求項４のマッサージ機は、スライド部材(４)(4a)は軸体(41)の両端に設けた摺接部(42)(42)がレール部(３)(3a)内面を押圧しているから、スライド部材(４)(4a)とレール部(３)(3a)の相対的スライドが安定する。即ち、本体部(１)のリクライニング動作が安定する。
【００２９】
請求項５のマッサージ機は、摺接部(42)の輪郭は略矩形を呈しているから、摺接部(42)がレール部(３)(3a)内で無駄に回転することを防止できる。
【００３０】
請求項６のマッサージ機は、摺接部(42)の長孔(44)内に、押圧片(43)を外側へ付勢するバネ(50)を内装したから、押圧片(43)の弾性にばらつきが発生し、そのバネ圧がばらついたり、過荷重が加わって押圧片(43)のバネ特性が失われたりしても、バネ(50)により安定した押圧片(43)のバネ特性が確保でき、本体部(１)がリクライニングする際の任意の角度での保持力が安定し、また耐久性能も向上する。
【００３１】
請求項7のマッサージ機は、長孔(44)内に内装するバネ(50)は板バネで、その両端を長孔(44)の両端部(51)に係止させているので、板バネ(50)の取り付けが簡単である。
【００３２】
請求項８のマッサージ機は、摺接部(42)の輪郭は略円形であるが、外周に直径線と略平行に、且つ点対称に切欠(46)(46)を施して、該切欠(46)から外側部分を押圧片(43)となしている。従って、押圧片(43)(43)がレール部(３)(3a)内面に当たる様に、摺接部(42)を無理にレール部(３)(3a)に嵌め込むと、切欠(46)(46)が閉じる様に押圧片(43)(43)が弾性変形して摺接部(42)の円形が崩れる。このため、摺接部(42)がレール部(３)(3a)内で回転することを防止できる。
【００３３】
請求項９のマッサージ機は、バネ(47)の種類やバネ強さの選択で、摺接部(42)のレール部(３)(3a)に対する突っ張り強さ変えることができる。
【００３４】
請求項１０のマッサージ機は、スライド部材(４)(4a)を弾性変形させる必要はないから、スライド部材(４)(4a)の材質の選択や、形状の選択に幅がある。
【００３５】
請求項１１のマッサージ機は、スライド部材(４)(4a)のレール部(３)(3a)との摺接面に抵抗部材(48)を装着すればよいから、レール部(３)(3a)に抵抗部材(48)を装着することに較べて、抵抗部材(48)の使用量は少なく、且つ抵抗部材(48)の装着も容易である。
【００３６】
請求項１２のマッサージ機は、レール部(３)(3a)上に並んだ凸部列の隣り合う凸部(49)(49)間にスライド部材(４)(4a)を落とし込んで、スライド部材(４)(4a)の位置決め、即ち、本体部(１)のリクライニング姿勢の保持を行うから、本体部(１)のリクライニング姿勢を変える際に、クリック間があり、所望の姿勢より行きすぎることを防止する効果がある。
【図面の簡単な説明】
【００３７】
【図１】本発明の第１発明の第１実施例の足用マッサージ機を、本体部が起立した状態で斜め前方から見た斜視図である。
【図２】足用マッサージ機を、本体部が後傾した状態で斜め前方から見た斜視図である。
【図３】ベース部と本体部を分離した状態を斜め後方から見た斜視図である。
【図４】レール部とスライド部材の関係を示す説明図である。
【図５】スライド部材とレール部の係合状態を示す斜視図である。
【図６】図５Ａ−Ａ線に沿う断面図である。
【図７】レール部内でスライド部材が突っ張っている状態を示す説明図である。
【図８】本発明の第１実施例の異なる態様を示し、レール部内でスライド部材が突っ張っている状態を示す説明図である。
【図９】同異なる態様のスライド部材の側面図である。
【図１０】第２実施例のスライド部材の斜視図である。
【図１１】図８Ａ−Ａ線に沿う断面図である。
【図１２】同上のスライド部材がレール部内で突っ張っている状態を示す説明図である。
【図１３】ａ図は第３実施例のスライド部材がレール部に嵌まっている状態の説明図、ｂ図は右半分はａ図の側面図、左半分はａ図のＡ−Ａ線に沿う断面図である。
【図１４】ａ図は第４実施例のスライド部材がレール部に嵌まっている状態の説明図、ｂ図は右半分はａ図の側面図、左半分はａ図のＡ−Ａ線に沿う断面図である。
【図１５】ａ図は第５実施例のスライド部材がレール部に嵌まっている状態の説明図、ｂ図は右半分はａ図の側面図、左半分はａ図のＡ−Ａ線に沿う断面図である。
【図１６】ａ図は第２発明におけるスライド部材がレール部に係合している状態の説明図、ｂ図は右半分はａ図の側面図、左半分はａ図のＡ−Ａ線に沿う断面図である。
【図１７】特許文献１のマッサージ機の本体部のリクライニングの動きを示す説明図である。
【発明を実施するための形態】
【００３８】
以下、本発明の足用マッサージ機について、図面に沿って説明する。
＜第１発明＞
図１乃至図９は、第１発明の第１実施例を示す。図１は、本発明の足用マッサージ機を、本体部(１)が起立した状態で斜め前方から見た斜視図、図２は、本体部(１)が後傾した状態で斜め前方から見た斜視図である。
【００３９】
足用マッサージ機は、床面に載置されるベース部(２)と、該ベース部にリクライニング可能に支持される本体部(１)から構成される。
【００４０】
ベース部(２)は、中空の樹脂製ケーシング(20)から形成される。ベース部(２)の内部には、後記する本体部(１)にマッサージ手段として配備されるエアバッグに圧縮空気を送給するエアポンプ、制御基板、電源ユニット(何れも図示せず)が収容される。
【００４１】
ベース部(２)の前側の左右上部には、図３及び図４に示すように、前後方向に伸びる左右一対のレール部(以下、「第１レール部」)(３)(３)が形成されている。  第１レール部(３)は、下向きに円弧状に湾曲した断面矩形の中空体であり、上面中央には、長手方向に沿って幅狭のスリット(31)が開設されている。第１レール部(３)には、後述する本体部(１)上のスライド部材(以下、「第２スライド部材」)(4a)が嵌まっている。
【００４２】
ベース部(２)の後側の上部には、上向きに左右一対のブラケット(21)(21)が突設されており、該ブラケット(21)(21)の上端には、後述する本体部(１)のレール部(以下「第２レール部」)(3a)(3a)に嵌まるスライド部材(以下「第１スライド部材」)(４)(４)が回動自由に軸支されている。
【００４３】
本体部(１)は、中空の樹脂製ケーシング(10)から形成される。該ケーシングは、下側が前方に向けて突出し、後端側が上向きに突出している。ケーシング(10)には、図１に示すように、被施療者の足先を挿入する左右一対の凹状受部(11)(11)と、各凹状受部(11)(11)の後端から連続し、被施療者のふくらはぎを挿入する脚受部(12)(12)が凹設されている。左右の凹状受部(11)(11)間及び脚受部(12)(12))間には、仕切り部(13)が立設されている。凹状受部(11)(11)及び脚受部(12)(12)には、被施療者にマッサージを施すマッサージ手段が配備される。
【００４４】
実施例のマッサージ手段は、エアバッグによる公知のものであるが、これに限定されるものではない。
【００４５】
本体部(１)の後端左右には、図３、図４に示すように、前記ベース部(２)の第１スライド部材(４)が嵌まる第２レール部(3a)(3a)が形成されている。第２レール部(3a)は、外向きに円弧状に湾曲した断面矩形の中空体であり、後面側に長手方向に沿う幅狭のスリット(31a)が開設されている。
【００４６】
第２レール部(3a)と前記ベース部(２)上の第１レール部(３)の曲率中心は同軸上に位置している。
【００４７】
また、本体部(１)の前後方向における中央の左右には、下向きにブラケット(21a)(21a)を突設し、該ブラケット(21a)(21a)の先端に前記ベース部(２)の第１レール部(３)(３)に嵌まる第２スライド部材(4a)(4a)を回動自在に軸支している。
【００４８】
実施例では、第１レール部(３)(３)と第２レール部(3a)(3a)は、同じ断面形状であり、本体部(１)のリクライニング範囲に対応して、第１、第２スライド部材(４)(4a)をスライド案内できる様に９０°〜１２０°の円弧長さを有し、前後に位置をずらして配置されている。
【００４９】
図５、図６は、第１スライド部材(４)を示しているが、第２スライド部材(4a)も同じ形状である。
【００５０】
第１スライド部材(４)は合成樹脂にて一体成形されている。第１スライド部材(４)はブラケット(21)に回転自由に支持された軸体(41)の両端に摺接部(42)(42)
を具えている。
【００５１】
摺接部(42)の輪郭は、４隅が丸い略矩形を呈し、長手方向に沿う両辺(レール部(３)(3a)の長手方向に沿っている)の内側に該辺に沿って表裏に貫通する長孔(44))が開設されており、長孔(44)の両端は、摺接部(42)の短手方向の辺に沿って短く屈曲している。
【００５２】
摺接部(42)の外表面には、裏面に貫通しない複数の凹み部(45)が開設されている。凹み部(45)は成形時の「ひけ」による表面変形を防止する役割と、樹脂の節約の意味がある。
【００５３】
摺接部(42)の長手方向に沿う辺の中央部は少し高く膨らんで、第２レール部(3a)の内面に対して突っ張る押圧片(43)(43)を形成している。
【００５４】
尚、摺接部(42)の長手方向に沿う両辺の内、一方の辺の内側だけに長孔(44)を開設して、弾性変形する押圧片(43)を一方の辺だけに設けてもよい。
【００５５】
然して、ベース部(２)上の第１スライド部材(４)(４)を本体部(１)の第２レール部(3a)(3a)に、本体部(１)上の第２スライド部材(4a)(4a)をベース部(２)上の第１レール部(３)(３)に夫々レール部の端部から無理に嵌め込む。
【００５６】
第１、第２スライド部材(４)(4a)の押圧片(43)(43)が、長孔(44)の孔幅を狭める様に弾性変形することによって、第１、第２スライド部材(４)(4a)の嵌込みが可能となる。しかし、押圧片(43)(43)の弾性復帰力によって、第１、第２スライド部材(４)(4a)は、常時第１，第２レール部(３)(3a)の内面に対して突っ張り状態であるから、強い力を加えない限り、スライドすることはない。
【００５７】
即ち、ベース部(２)に対して本体部(１)を強引に傾けない限り、本体部(１)のリクライニング角度は維持される。足を本体部(１)に載せた程度では本体部(１)のリクライニング姿勢は変わらない。
【００５８】
従って、本体部(１)を所望の傾き姿勢に設定すると、その姿勢を維持したまま、足のマッサージを受けることができる。
【００５９】
本体部(１)の傾き姿勢を変えるには、スライド部材(４)(4a)の突っ張り力に打ち勝つ力で、スライド部材(４)(4a)をレール部(３)(3a)内でスライドさせればよい。
【００６０】
被験者は、本体部(１)の凹状受部(11)に足先を、脚受部(12)にふくらはぎを挿入した状態でマッサージを受けるのであるが、つま先に強い踏み込み力を加えると、本体部(１)を起立方向に姿勢を変えることが出来、ふくらはぎで脚受部(12)を下方に強い力で押し込むと、本体部(１)を倒れ方向に姿勢を変えることができる。従って、マッサージを中断することなく、本体部(１)のリクライニング姿勢を所望の姿勢に変えることができる。
【００６１】
本体部(１)の左右両側にて、夫々２箇所でレール部(３)(3a)とスライド部材(４)(4a)が係合しているから、本体部(１)のリクライニング動作を安定して行うことができる。
【００６２】
図８及び図９は、第１実施例の異なる態様を示す。この実施態様によると、第１、第２スライド部材(４)(4a)の摺接部(42)にある長孔(44)内に、前記押圧片(43)を常に外側（図９で矢印Ａ方向）へ付勢する板バネ(50)を内装したものである。板バネ(50)はステンレス鋼板よりなり、その両端部(51)(51)は外側へ屈曲されて、長孔(44)の両端屈曲部(44a)に係止されている。
【００６３】
押圧片(43)は、成形時のばらつきによりその弾性にばらつきが発生し、押圧片(43)を外側へ付勢する力が弱くなることがある。また、過荷重が長時間加わると、クリープ現象が発生し、バネ特性が失われることがある。
【００６４】
しかし、押圧片(43)は板バネ(50)により、常時外側、即ち、レール部(３)(3a)の内面に向かって付勢されているので、仮にバネ特性が失われても、安定したバネ特性が確保できる。従って、本体部(１)がリクライニングする際、任意の角度での保持力が安定し、任意の角度で静止させることができる。また耐久性能も向上する。
【００６５】
そしてこの板バネ(50)の長孔(44)への取り付けは、両端屈曲部(51)を長孔(44)の両端部屈曲部(44a)に係止させているだけなので、簡単に行なうことができる。である。
図１０乃至図１５は、第１発明の他の実施例で、第１、第２スライド部材(４)(4a)の突っ張り手段の他の例を示している。
【００６６】
図１０、図１１、図１２は第１発明の第２実施例を示し、第１、第２スライド部材(４)(4a)の摺接部(42)の輪郭は略円形であるが、外周に直径線と略平行に、且つ点対称に切欠(46)(46)を施して、該切欠(46)から外側部分を押圧片(43)となしている。
【００６７】
押圧片(43)(43)がレール部(３)(3a)内面に当たる様に、摺接部(42)を無理にレール部(３)(3a)に嵌め込むと、切欠(46)(46)が閉じる様に押圧片(43)(43)が弾性変形する。押圧片(43)(43)の弾性復帰力によって、第１、第２スライド部材(４)(4a)は、常時第１，第２レール部(３)(3a)の内面に対して突っ張り状態であるから、強い力を加えない限り、スライドすることはない。
【００６８】
又、上記状態ではスライド部材(４)(4a)の摺接部(42)の円形が崩れて押圧片(43)で突っ張るから、摺接部(42)がレール部(３)(3a)内で回転することを防止できる。
【００６９】
図１０の実施例において、摺接部(42)の外周部にて、押圧片(43)(43)の間に更に同様の押圧片を形成して、９０°間隔に４つの押圧片(43)を設けることができる。この場合、万一スライド部材(４)(4a)がレール部(３)(3a)内で回転することがあっても、回転方向の次の押圧片が利いて、回転を９０°に止めることができる。
【００７０】
図１３ａ、図１３ｂは第３実施例を示し、円形のスライド部材(４)(4a)の摺接部(42)(42)の外端に、円形の凹み部(421)を有し、該凹み部(421)に両摺接部(42)とは別体の押圧片(43)を嵌め、該押圧片(43)をバネ(47)で外向きに付勢してレール部(３)(3a)の内面に突っ張る。
【００７１】
バネ(47)は皿バネであるが、これに限らず、スライド部材(４)(4a)の軸体(41)を中空とし、該軸体(41)内に圧縮バネを収容して、押圧片(43)を外向き付勢することもできる。
【００７２】
尚、スライド部材(４)(4a)の両摺接部(42)(42)の内、一方の摺接部(42)だけに、押圧片(43)をバネ付勢して配備しても、第１、第２スライド部材(４)(4a)を、第１、第２レール部(３)(3a)に突っ張って嵌めることができる。
【００７３】
バネ(47)の種類やバネ強さの選択で、摺接部(42)のレール部(３)(3a)に対する突っ張り強さを選ぶことができる。
【００７４】
図１４ａ、図１４ｂは第４実施例を示し、レール部(３)(3a)のスライド部材(４)(4a)との摺接面に、ゴム、ウレタン樹脂等、摩擦係数が大で弾性を有する抵抗部材(48)を、本体部(１)のリクライニング有効範囲に対応する範囲に装着している。
【００７５】
スライド部材(４)(4a)を抵抗部材(48)を弾性変形させながら無理にレール部(３)(3a)へ嵌め込むことによって、該抵抗部材(48)の弾性復帰力でスライド部材(４)(4a)を突っ張り状態に保持できる。
【００７６】
スライド部材(４)(4a)を弾性変形させる必要はないから、スライド部材(４)(4a)の材質の選択や、形状の選択に幅がある。
【００７７】
図１５ａ、図１５ｂは第５実施例を示し、スライド部材(４)(4a)のレール部(３)(3a)との摺接面に、ゴム、ウレタン樹脂等、摩擦係数が大で弾性を有する抵抗部材(48)を装着している。
【００７８】
スライド部材(４)(4a)を抵抗部材(48)を弾性変形させながら無理にレール部(３)(3a)へ嵌め込むことによって、該抵抗部材(48)の弾性復帰力でスライド部材(４)(4a)を突っ張り状態に保持できる。
【００７９】
スライド部材(４)(4a)の摺接部(42)の周面及び外側端面に抵抗部材(48)を装着して、摺接面の面積を大きくすることが望ましい。
【００８０】
スライド部材(４)(4a)のレール部(３)(3a)との摺接面に抵抗部材(48)を装着すればよいから、レール部(３)(3a)に抵抗部材(48)を装着することに較べて、抵抗部材(48)の使用量は少なく、且つ抵抗部材(48)の装着も容易である。
＜第２発明＞
図１６ａ、図１６ｂは、第２発明のレール部(３)(3a)とスライド部材(４)(4a)の係合状態を示している。第２発明の基本構成は上記第１発明と同様であるが、レール部(３)(3a)に大きな違いがあり、本体部(１)を無断階ではなく、多段階にリクライニング姿勢を設定できる特徴がある。
【００８１】
レール部(３)(3a)の内面には、スライド部材(４)(4a)のスライドに強い抵抗となる凸部(49)が等間隔に多数個設けられ、隣り合う凸部(49)の間隔は、スライド部材(４)(4a)の摺接部(42)をスライド方向に余裕なく位置決めできる程度に開いている。スライド部材(４)(4a)が凸部(49)間に位置する多段階で本体部(１)のリクライニング姿勢を設定できる。
【００８２】
本体部(１)のリクライニング角度を設定したときに、スライド部材(４)(4a)はレール部(３)(3a)に対して突っ張っていない点が、前記実施例１とは異なる。
【００８３】
レール部(３)(3a)上に並んだ凸部列の隣り合う凸部(49)(49)間にスライド部材(４)(4a)を落とし込んで、スライド部材(４)(4a)の位置決め、即ち、本体部(１)のリクライニング姿勢の保持を行うから、本体部(１)のリクライニング姿勢を変える際に、クリック感があり、所望の姿勢より行きすぎることを防止する効果がある。
【００８４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００８５】
例えば、第１、第２レール部(３)(3a)と第１、第２スライド部材(４)(4a)の嵌合を、何れも突っ張らせているが、どちらか一方の嵌合だけを突っ張らせる様にしてもよい。
又、レール部を本体部(１)又はベース部(２)の何れか一方だけに設け、他方には、該レール部に無理にスライド可能な複数のスライド部材を配備してもよい。
【００８６】
又、実施例のレール部(３)(3a)は円弧状に湾曲しているが、円弧に湾曲させることに限定されない。単に湾曲しているだけでもよい。又、一方のレール部を直線状、他方のレール部を円弧状とすることもできる。
【００８７】
更に、本体部(１)のレール部をＶ字状として、ベース部(２)に該Ｖ字状レール部の両側に嵌まる２つのスライド部材を設けてもよい。
【００８８】
或いはベース部(２)のレール部をＶ字状として、本体部(１)に該Ｖ字状レール部の両側に嵌まる２つのスライド部材を設けてもよい。
【００８９】
要は本体部(１)のリクライニング軌跡が一定となる様に、レール部(３)(3a)とスライド部材(４)(4a)で本体部(１)を案内できればよい。
【００９０】
レール部(３)(3a)の曲がりによっては、本体部(１)がリクライニングンする際に、本体部(１)を前進させることもできる。この場合、本体部(１)の後方に椅子等の障害物があっても、リクライニングする際に本体部(１)が障害物に衝突することを避けることができる。
【符号の説明】
【００９１】
(１) 本体部
(11) 凹状受部
(12) 脚受部
(２) ベース部
(３) 第１レール部
(3a) 第２レール部
(４) 第１スライド部材
(4a) 第２スライド部材
(41) 軸体
(42) 摺接部
(43) 押圧片
(50) 板バネ（バネ）
【図１】
2010099449.tif 000003
【図２】
2010099449.tif 000004
【図３】
2010099449.tif 000005
【図４】
2010099449.tif 000006
【図５】
2010099449.tif 000007
【図６】
2010099449.tif 000008
【図７】
2010099449.tif 000009
【図８】
2010099449.tif 000010
【図９】
2010099449.tif 000011
【図１０】
2010099449.tif 000012
【図１１】
2010099449.tif 000013
【図１２】
2010099449.tif 000014
【図１３】
2010099449.tif 000015
【図１４】
2010099449.tif 000016
【図１５】
2010099449.tif 000017
【図１６】
2010099449.tif 000018
【図１７】
2010099449.tif 000019